(57)【要約】【課題】  ネクタイを留める為のネクタイピンであって、ネクタイは片寄ることなく中央に位置し、身体を動かしても位置ズレすることなく、又ネクタイピンも位置ズレしたり外れることのなくワンタッチで取付け得るネクタイピンの提供。【解決手段】  ネクタイピンは取付け部１と外周部２から成って間にはネクタイを収容する為の空間３を有すと共に、取付け部１の一部を切欠いて開口４を形成している。そして取付け部１にはボタン１０より小さな空間８で形成されるボタン係合部５とワイシャツの縁１１が嵌るワイシャツ縁の係合部６を設けている。【選択図】    図１
2005304526.tif 000002
【特許請求の範囲】
【請求項１】
ネクタイを留める為のネクタイピンにおいて、該ネクタイピンは取付け部と外周部から成って間にはネクタイを収容する為の空間を有すと共に、取付け部の一部を切欠いて開口を形成し、そして取付け部にはボタンより小さな空間で形成されるボタン係合部とワイシャツの縁が嵌るワイシャツ縁の係合部を設けたことを特徴とするネクタイピン。
【請求項２】
上記ボタン係合部の隣にはクビレ部を間にして入口部を設けた請求項１記載のネクタイピン。
【請求項３】
上記入口部先端には取付け部に係止することが出来るツメを形成した請求項２記載のネクタイピン。
【発明の詳細な説明】
【技術分野】
【０００１】
本発明はネクタイをワイシャツの中心に留めることが出来、しかもネクタイが位置ズレすることがないネクタイピンに関するものである。
【背景技術】
【０００２】
ネクタイを締めた場合、該ネクタイがワイシャツの中央に位置することが出来るようにネクタイピンが使用されている。ところで、ネクタイピンは装飾品の１つとしてその種類は多種多様化し、中には七宝を施したものや、宝石を取付けた高級なネクタイピンも存在している。最もオーソドックで昔から使用されているネクタイピンはハサミ形態を成し、ネクタイとワイシャツを同時に挟み込んで留め付ける構造と成っている。
【０００３】
この形態のネクタイピンはワイシャツの中央(ボタンの位置)にネクタイを留めることが出来ず、一方側へ片寄ってしまう。図４は従来のハサミ形態のネクタイピン(イ)にてネクタイ(ロ)を留めた場合を示しているが、(ａ)ではネクタイ(ロ)はワイシャツ(ハ)のボタン(ニ)、(ニ)・・の位置に配置されるが、(ｂ)では中央から右側へ片寄って配置されている。
【０００４】
そしてネクタイ(ロ)はワイシャツ(ハ)にネクタイピン(イ)を介して留着される為に、身体の自由が束縛されて動き難くなる。逆に、身体を動かすことでネクタイ(ロ)が引っ張られて該ネクタイ(ロ)が位置ズレし、時にはネクタイピン(イ)から外れてしまう。勿論、ネクタイ(ロ)が引っ張られることでネクタイピン(イ)も位置ズレする。
【０００５】
一方、ネクタイを留める手段として「タイタック」が使用されているが、ネクタイ(ロ)の中央部にピンを刺して留める構造である為に、この部分が凹状に窪んでしまい、その結果ネクタイ全体が反ってしまい、体裁が悪い。
【０００６】
実用新案登録第３０３６１０１号に係る「ネクタイ留め」は、従来のネクタイピンの１つであり、「留めようとするネクタイの幅より若干長いネクタイ留め本体の一端側に、前記ネクタイの後側から囲い込む囲込杆の一端側を、その他端側が前記ネクタイ留め本体の他端側に係止機構を介して系脱自在に係止させるように前後方向へ揺動自在に支持し、この囲込杆の長手方向中央部には、ワイシャツなどの適宜ボタンに掛脱自在に掛止する適宜掛止手段を設けている。」
この「ネクタイ留め」は首に締めたネクタイを横へ片寄ることなく中央部で留めることが出来るが、該ネクタイ留めはワイシャツのボタンに掛止めされることから安定せず、傾いてしまう。又、ネクタイピンをワイシャツに取付ける場合には、リング状の掛止手段にボタンを嵌めなくてはならず、このことは面倒である。
【特許文献１】実用新案登録第３０３６１０１号に係る「ネクタイ留め」
【発明の開示】
【発明が解決しようとする課題】
【０００７】
このように、従来のネクタイピンには上記のごとき問題がある。本発明が解決しようとする課題はこれらの問題点であり、ネクタイは片寄ることなく中央に位置し、身体を動かしても位置ズレすることなく、又ネクタイピンも位置ズレしたり外れることのなくワンタッチで取付け得るネクタイピンを提供する。
【課題を解決するための手段】
【０００８】
本発明に係るネクタイピンは、その形状が概略長円形を成して取付け部と外周部を有し、取付け部の一部は切欠かれた開口を形成している。そして取付け部と外周部とで囲まれた空間が形成され、この空間には上記開口から挿入されたネクタイが収容される。ここで、外周部は装飾品としてのネクタイピンを構成する為に色々なデザイン及び装飾が施され、必要に応じて宝石類を設けることも可能である。
【０００９】
そして、取付け部にはボタン係合部とワイシャツ縁の係合部が設けられ、ワイシャツのボタンに取付けられる。従って、ネクタイピンはワイシャツボタンとワイシャツ縁の２箇所に係合して取付けられ、位置ズレすることなく安定する。ここで、ワイシャツ縁の係合部は取付け部の一部に概略コ状を成して形成され、ボタン係合部はボタンが嵌って外れないような形状を成して取付け部に設けられる。
【発明の効果】
【００１０】
本発明に係るネクタイピンはワイシャツの中央に取付けられているボタンとワイシャツの縁に係合することで取付けられ、傾くなどの位置ズレは発生しない。すなわち、２箇所にて支持される為に取付け状態は安定すると共に、ボタン係合部にボタンが嵌ることで外れ落ちることはない。
【００１１】
そして、ネクタイは取付け部に形成した開口から挿入して空間に収容され、ワイシャツとネクタイピンを介して連結されることはない。すなわち、空間に収容される為にネクタイピンから外れることはないが、空間内では滑り移動することが可能である為に、身体を動かすことでネクタイは空間内を自由に滑ることが可能であるために、ネクタイを締めた場合の窮屈感が解消される。
【００１２】
一方、ネクタイピンはワイシャツボタンとワイシャツ縁の２箇所に係合して取付けられることから、ネクタイが中央部に配置されるようにネクタイピンが取付けられる。すなわち、左右の一方側へ片寄ることはなく、ネクタイを締めた姿勢が良くなる。さらに、ネクタイピンの取付け・取り外しはワンタッチで可能と成る。
【実施例】
【００１３】
図１(ａ)、(ｂ)は本発明に係るネクタイピンを示す実施例であり、同図の１は取付け部、２は外周部を表している。同図に示すネクタイピンはワイヤーを曲げ成形して製作したものであるが、実際には取付け部１と外周部２は異なる部材が用いられ、特に外周部２はネクタイピンに要求される装飾性を具現した形態と成っている。
【００１４】
同図に示すネクタイピンは概略長円形を成し、取付け部１と外周部２とで空間３が形成され、取付け部１には空間３に繋がる開口４を有している。そこで、ネクタイは開口４から挿入されて空間３に収容される。ネクタイは空間３に収容されるだけであって止着されることはなく、空間内で自由に滑り移動することが可能である。
【００１５】
ところで、ネクタイピンはワイシャツに取付けられるが、取付け部１にはボタン係合部５とワイシャツ縁の係合部６を設けている。ボタン係合部５は取付け部１に概略半円弧状に湾曲して形成され、クビレ部１４を間にして入口部７が設けられている為に、ボタンの足(ボタンを縫い付けている糸)は入口部７から入ってクビレ部１４を押し開き、ボタン係合部５に嵌る。ボタン係合部５の空間８はワイシャツボタンより小さく、その為に係合したボタンはボタン係合部５から外れることはない。
【００１６】
又、ワイシャツ縁の係合部６はコ形に湾曲し、取付け部１との間に空間９が形成されている。このワイシャツ縁の係合部６にはワイシャツの縁が嵌り、空間９の底に接することが出来る。ここで、上記ボタン係合部５の空間８とワイシャツ縁の係合部６の空間９は互いに垂直を成し、ボタン係合部５にボタンが嵌ると共に、ワイシャツ縁の係合部６にはワイシャツの縁が嵌ることでネクタイピンは取付けられる。
【００１７】
すなわち、ボタン係合部５とワイシャツ縁の係合部６との２箇所でもって支持され、ワイシャツに取付けられるネクタイピンは傾くことなく安定する。そして、外れ落ちることはない。図２はネクタイピンをワイシャツに取付けた場合を示している。
【００１８】
入口部７からボタン１０の足１６を挿入し、該ボタン１０はボタン係合部５に嵌り、それと同時にワイシャツ縁１１はワイシャツ縁の係合部６に嵌ることが出来る。そして、ワイシャツ縁１１は空間９の底に接することで、上記ボタン係合部５に嵌ったボタン１０を中心として回転することが阻止される。本発明のネクタイピンは入口部７からボタンを挿入してボタン係合部５にワンタッチで嵌めることが出来る。
【００１９】
このように、ワイシャツに取付けられたネクタイピンの空間３にはネクタイ１２が収容されるが、該ネクタイ１２は開口４から挿入される。このように、ネクタイ１２は空間３に収容されただけの状態にあり、空間内では滑り移動することが許容され、ネクタイピンを介してワイシャツと連結していない。
【００２０】
図３は本発明に係るネクタイピンを示す他の実施例であり、ボタン係合部５の入口形態が前記図１に示した実施例とは異なる。ワイシャツのボタン１０は入口部１３から挿入されて、ボタン係合部５に嵌ることが出来るが、図２において矢印方向へ引くならはワイシャツから外れ落ちる。ただし、矢印の反対方向へ引いてもワイシャツ縁１１が空間９の底に当たる為に外れ落ちることはない。
【００２１】
そこで、図３に示すネクタイピンはボタン係合部５に嵌ったボタン１０が外れないように構成している。ボタン係合部５の隣には入口部１３が連続して形成され、入口部１３とボタン係合部５とに間にはクビレ部１４を形成し、取付け部１との間をボタン１０の足１６が通過出来ないようにしている。
【００２２】
前記図１のネクタイピンの場合にも、入口部７とボタン係合部５との間にはクビレ部１４を有しているが、入口部７はフリーである為にクビレ部１４が開いてボタン１０の足１６は通過することが出来る。図３に示すネクタイピンでは、入口部１３を形成する先端にはツメ１５が形成され、該ツメ１５は取付け部１に係止する。その為に、クビレ部１４は開くことなく、ボタン係合部５に嵌ったボタン１０の足１６はクビレ部１４を通過してネクタイピンが外れることはない。
【００２３】
そこで、ネクタイピンをワイシャツに取付ける場合には、ツメ１５を取付け部１から外した状態で入口部１３にボタン１０を挿入し、クビレ部１４を通過してボタン係合部５にボタン１０を嵌める。該ボタン１０がボタン係合部５に嵌ったならば、ツメ１５を取付け部１に係止して外れないようにする。すなわち、ツメ１５が取付け部１５に係止するならば、クビレ部１４が開くことはなく、ボタン１０の足１６は通過出来ない。ここで、入口部１３はボタン１０より大きな空間を形成している。
【００２４】
これら実施例では金属製ワイヤーを曲げ成形して構成しているが、樹脂材を用いて射出成形することが可能である。この場合には、金型製作の関係上、取付け部１の形態、特にワイシャツ縁の係合部６及びボタン係合部の形状はその都度変更することは自由である。
【図面の簡単な説明】
【００２５】
【図１】本発明に係るネクタイピンの実施例。
【図２】ネクタイピンをワイシャツに取付けた場合。
【図３】本発明に係るネクタイピンの他の実施例。
【図４】従来のネクタイピンでネクタイを留めた場合。
【符号の説明】
【００２６】
１  取付け部
２  外周部
３  空間
４  開口
５  ボタン係合部
６  ワイシャツ縁の係合部
７  入口部
８  空間
９  空間
10  ボタン
11  ワイシャツ縁
12  ネクタイ
13  入口部
14  クビレ部
15  ツメ
16  足
【図１】
2005304526.tif 000003
【図２】
2005304526.tif 000004
【図３】
2005304526.tif 000005
【図４】
2005304526.tif 000006